【手続補正書】
【提出日】平成20年11月11日(2008.11.11)
【手続補正１】
【補正対象書類名】特許請求の範囲
【補正対象項目名】全文
【補正方法】変更
【補正の内容】
【特許請求の範囲】
【請求項１】
空輸又は陸上−海上輸送によって輸送されるようになっている搬送装置において、
ベースと、
前記ベースに移動自在に連結された移動自在のコーナーブロックと、
前記コーナーブロックを前記ベースに関して選択的に位置決めするようになっている調節機構であって、前記コーナーブロックを空輸位置と陸上−海上輸送位置との間で選択的に移動させるようになっているような調節機構と、
を備えた搬送装置。
【請求項２】
請求項１に記載の搬送装置において、前記ベースは下面を含み、前記コーナーブロックは下面を有し、前記コーナーブロックの前記下面は、前記コーナーブロックが前記陸上−海上輸送位置にある場合には前記ベースの前記下面よりも下に配置され、前記コーナーブロックの前記下面は、前記コーナーブロックが前記空輸位置にある場合には前記ベースの前記下面とほぼ同一平面内に又は前記ベースの前記下面の上方に配置されるような、搬送装置。
【請求項３】
請求項１に記載の搬送装置において、前記ベースは、第１端及び第２端を含み、複数のローラープレートが前記ベースの前記第１端から前記第２端まで延びており、前記ローラープレートは、互いに間隔が隔てられており、前記ローラープレートは、各々、航空機の貨物取り扱いシステムのローラーと係合するようになっているほぼ平らな下面を含むような、搬送装置。
【請求項４】
請求項１に記載の搬送装置において、前記ベースは、第１側レール及び間隔が隔てられた第２側レールと、前記第１側レールに取り付けられた、複数のタブ及び戻り止めを有する第１脚部を含む第１戻り止めレールと、前記第２側レールに取り付けられた、複数のタブ及び戻り止めを有する第２脚部を含む第２戻り止めレールとを含み、前記タブ及び戻り止めは、前記搬送装置を航空機内の所定の場所に解放自在に固定するために航空機の貨物取り扱いシステムと協働するようになっているような、搬送装置。
【請求項５】
請求項４に記載の搬送装置において、前記第１戻り止めレールは、前記第１側レールに取り外し自在に取り付けられるようになっており、前記第２戻り止めレールは、前記第２側レールに取り外し自在に取り付けられるようになっているような、搬送装置。
【請求項６】
請求項４に記載の搬送装置において、前記第１戻り止めレールは、前記第１脚部に対してほぼ垂直に配置された第３脚部を含み、前記第３脚部は、前記第１側レールに取り外し自在に取り付けられるようになっているような、搬送装置。
【請求項７】
請求項１に記載の搬送装置において、複数のコーナーポストを含み、これらのコーナーポストの各々は第１端及び第２端を含み、前記コーナーポストの前記第１端は前記ベースに取り付けられており、前記移動自在の複数のコーナーブロックの各々は、それぞれのコーナーポストの前記第１端と隣接して配置されており、前記複数の調節機構の各々は、それぞれの移動自在のコーナーブロックを空輸位置と陸上−海上輸送位置との間で選択的に位置決めするようになっており、複数の定置のコーナーブロックの各々は、それぞれのコーナーポストの前記第２端に取り付けられているような、搬送装置。
【請求項８】
請求項７に記載の搬送装置において、前記移動自在のコーナーブロック及び前記定置のコーナーブロックは、ＩＳＯコーナーブロックであるような、搬送装置。
【請求項９】
請求項７に記載の搬送装置において、前記コーナーポスト間を延びる側壁と、屋根とを含み、前記搬送装置はコンテナを構成するような、搬送装置。
【請求項１０】
請求項７に記載の搬送装置において、前記調節機構は、各々、関連した移動自在のコーナーブロックを、前記陸上−海上輸送位置よりも前記空輸位置から遠くに配置された選択された伸長位置まで移動するようになっており、これによって、前記調節機構は、各々、前記ベースが前記移動自在のコーナーブロックによって実質的に水平な位置に支持されるように、前記移動自在のコーナーブロックを前記ベースに関して位置決めするようになっているような、搬送装置。
【請求項１１】
請求項１に記載の搬送装置において、前記ベースは、前記移動自在のコーナーブロックを受け入れるようになっているポケットを含み、前記移動自在のコーナーブロックは、前記コーナーブロックが前記空輸位置に配置されたときに前記ポケット内に実質的に完全に配置され、前記移動自在のコーナーブロックは、前記移動自在のコーナーブロックが前記陸上−海上輸送位置にあるとき前記ポケットの外側に少なくとも部分的に配置されているような、搬送装置。
【請求項１２】
請求項１に記載の搬送装置において、前記調節機構はジャッキを含むような、搬送装置。
【請求項１３】
請求項１に記載の搬送装置において、前記調節機構は、第１端と、第２端と、中央軸線とを持つ選択的に移動自在のシャフトとを含み、前記コーナーブロックは、前記シャフト及び前記シャフトを選択的に移動させるためのアクチュエータに連結されており、前記シャフトの選択的な移動により、前記コーナーブロックを、並進軸線に沿って、前記ベースに関して選択された位置まで移動させるような、搬送装置。
【請求項１４】
請求項１３に記載の搬送装置において、前記アクチュエータは、前記シャフトに作動的に連結されたモータを含み、このモータは、前記シャフトの前記中央軸線を中心とした前記シャフトの選択的な移動を提供するようになっているような、搬送装置。
【請求項１５】
請求項１３に記載の搬送装置において、前記調節機構は、第１端及び第２端を持つ脚部を含み、前記脚部の前記第１端は前記コーナーブロックに取り付けられており、前記脚部の前記第２端は前記シャフトに連結されており、前記シャフトの選択的な移動により前記脚部及び前記コーナーブロックを前記並進軸線に沿って前記ベースに関して選択された位置まで移動させるような、搬送装置。
【請求項１６】
請求項１５に記載の搬送装置において、前記調節機構の前記シャフトにはねじ山が設けられており、前記脚部は前記シャフトに螺着されており、前記シャフトは、前記並進軸線に沿った前記脚部及び前記コーナーブロックの移動を提供するため、前記シャフトの前記中央軸線を中心として選択的に回転自在であるような、搬送装置。
【請求項１７】
請求項１６に記載の搬送装置において、前記調節機構は、第１端及び第２端を持つハウジングを含み、前記ハウジングの前記第１端は前記ベースに取り付けられており、前記シャフトの前記第２端及び前記脚部の前記第２端は前記ハウジング内に配置されており、前記シャフトの前記第２端は前記ハウジングに回転自在に連結されているような、搬送装置。
【請求項１８】
請求項１７に記載の搬送装置において、前記ベースに取り付けられたコーナーポストを含み、前記ハウジングは前記コーナーポストに取り付けられており、前記コーナーポスト及び前記ベースは、前記コーナーブロックを前記空輸位置に配置したとき、前記コーナーブロックを受け入れるようになっているポケットを形成するような、搬送装置。
【請求項１９】
請求項１８に記載の搬送装置において、前記アクチュエータは前記シャフトと作動的に係合した駆動部材を含み、前記駆動部材の回転により、前記シャフトの前記中央軸線を中心とした前記シャフトの回転を提供するような、搬送装置。
【請求項２０】
請求項１９に記載の搬送装置において、前記コーナーポストは概してチューブ状であり、前記ハウジング及び前記アクチュエータは前記コーナーポスト内に配置されており、前記コーナーポストは前記アクチュエータの前記駆動部材と連通するための穴を含むような、搬送装置。
【請求項２１】
請求項１８に記載の搬送装置において、前記調節機構は、前記脚部に取り付けられているとともに、前記シャフトを回転させることにより前記コネクタ部材、前記脚部、及び前記コーナーブロックを前記並進軸線に沿って移動させるように前記シャフトに螺着されたコネクタ部材を含み、前記コネクタ部材は、一つ又はそれ以上の係止ピンを含み、前記係止ピンの各々は、引っ込み位置と伸長位置との間で移動自在であり、前記係止ピンは前記伸長位置で前記ハウジングと係合し、これによって前記脚部及び前記コーナーブロックが前記並進軸線に沿って移動しないようにし、前記係止ピンが前記引っ込め位置にあるとき、前記係止ピンにより、前記脚部及び前記コーナーブロックを前記並進軸線に沿って移動させることができるような、搬送装置。
【請求項２２】
請求項２１に記載の搬送装置において、前記コネクタ部材は、回転自在のリングを含み、前記係止ピンの各々は、前記リングの回転により前記係止ピンを前記伸長位置と前記引っ込み位置との間で協働して移動させるように前記リングに連結されているような、搬送装置。
【請求項２３】
請求項２１に記載の搬送装置において、前記コネクタ部材は、前記係止ピンを前記伸長位置に向かって押圧するようになっている押圧部材を含むような、搬送装置。
【請求項２４】
請求項２１に記載の搬送装置において、前記コーナーポストは、係止ピンへのアクセスを提供する穴を含み、工具を前記穴に挿入して前記係止ピンと係合させ、これを手作業で移動させることによって前記係止ピンを前記伸長位置から前記引っ込み位置まで手作業で移動させることができるような、搬送装置。
【手続補正２】
【補正対象書類名】明細書
【補正対象項目名】００１６
【補正方法】変更
【補正の内容】
【００１６】
ジャッキ１１４は、第１端１４０及び第２端１４２を持つ細長い回転自在のシャフト１３８を含んでいる。このシャフト１３８は、第１端１４０から第２端１４２に向かって延びるねじ山を備えた部分１４４を含む。シャフト１３８の第２端１４２は、スラストカラー１４６に取り付けられる。スラストカラー１４６は、このスラストカラー１４６とカバー１３６との間に配置されたベアリングコーン１４８と回転自在に係合する。ベベルギア１５０がシャフト１３８の第２端１４２及びスラストカラー１４６に取り付けられている。シャフト１３８、スラストカラー１４６、及びベベルギア１５０は、並進軸線１１６と同軸のシャフト１３８の中央軸線を中心として選択的に結合して回転できる。アクチュエータは、ハウジング１２０に回転自在に取り付けられた駆動部材１５２を含む。駆動部材１５２は、ベベルギア１５０と噛み合い係合したピニオンギア１５４を含む。駆動部材１５２は、コーナーポスト５６の穴１５７と連通したソケット１５６を含む。このソケット１５６は、１．２７ｃｍ（半インチ）の駆動ラチェット等のクランク部材を受け入れるようになっている。駆動部材１５２は、軸線１１６に対して横方向に延びる中央軸線１５８を中心として選択的に回転するようになっている。駆動部材１５２が軸線１５８を中心として回転することにより、シャフト１３８が軸線１１６を中心として回転するようになる。